(57)【要約】  第１の上部肩ストラップおよび第２の上部肩ストラップと第１の下部骨盤ストラップおよび第２の下部骨盤ストラップとを備える前面メイン部を有する背中開きサポートブラジャーであって、第１の下部骨盤ストラップおよび第２の下部骨盤ストラップが、着用者の骨盤領域を通過するように設計されて、着用者の背中の領域でブラジャーウイングを露出することなくブラジャーを定位置に留め、着用者を支持する、背中開きサポートブラジャー。背中開きサポートブラジャーを留める種々の方法も提供される。
2019525020.tif 000002
【特許請求の範囲】
【請求項１】
第１のカップおよび第２のカップを有する前面メイン部と、
前記前面メイン部に連結される第１の端部および第２の端部をそれぞれが有する、第１の上部肩ストラップおよび第２の上部肩ストラップと、
前記前面メイン部に連結される第１の端部および第２の端部をそれぞれが有する、第１の下部骨盤ストラップおよび第２の下部骨盤ストラップと、を備え、
前記第１の下部骨盤ストラップおよび前記第２の下部骨盤ストラップが、着用者の骨盤領域を通して着用されるように設計される、背中開きサポートブラジャー。
【請求項２】
前記前面メイン部が、前記第１の上部肩ストラップおよび前記第２の上部肩ストラップを取外し可能に取り付け、且つ、前記第１の下部骨盤ストラップおよび前記第２の下部骨盤ストラップの端部のうちの少なくとも１つを取り付けるための、少なくとも３つのフック点を有する、請求項１に記載の背中開きサポートブラジャー。
【請求項３】
前記前面メイン部が、前記第１の下部骨盤ストラップおよび前記第２の下部骨盤ストラップの一方の端部を取外し可能に取り付けるための少なくとも１つのフック点を有する、請求項１に記載の背中開きサポートブラジャー。
【請求項４】
前記第１の上部肩ストラップおよび前記第２の上部肩ストラップが、前記前面メイン部に固定される、請求項１に記載の背中開きサポートブラジャー。
【請求項５】
スライダが、前記第１の下部骨盤ストラップおよび前記第２の下部骨盤ストラップに沿って提供される、請求項１に記載の背中開きサポートブラジャー。
【請求項６】
前記第１の骨盤ストラップおよび前記第２の骨盤ストラップが、両方の端部で前記前面メイン部に付くように設計される、請求項１に記載の背中開きサポートブラジャー。
【請求項７】
前記第１の骨盤ストラップが、一方の端部では前記前面メイン部に付き、他方の端部では前記第１の骨盤ストラップに付くように設計され、前記第２の骨盤ストラップが、一方の端部では前記前面メイン部に付き、他方の端部では前記第２の骨盤ストラップに付くように設計される、請求項１に記載の背中開きサポートブラジャー。
【請求項８】
前面メイン部を有する背中開きサポートブラジャーを着用者に留める方法であって、
前記着用者の肩に、前記背中開きサポートブラジャーの前記前面メイン部から延在する上部肩ストラップをかけるステップと、
前記着用者の骨盤領域に、前記背中開きサポートブラジャーの前記前面メイン部から延在する下部骨盤ストラップの一方の端部を通すステップと、
前記前面メイン部に、前記背中開きサポートブラジャーの前記前面メイン部から延在する前記下部骨盤ストラップの前記一方の端部を留めるステップと、を含む方法。
【請求項９】
前面メイン部を有する背中開きサポートブラジャーを着用者に留める方法であって、
前記着用者の肩に、前記背中開きサポートブラジャーの前記前面メイン部から延在する上部肩ストラップをかけるステップと、
前記着用者の胴体領域で、前記背中開きサポートブラジャーの前記前面メイン部から延在する下部骨盤ストラップを十文字にするステップと、
前記着用者の腰領域の周りに前記下部骨盤ストラップを通すステップと、
前記着用者の骨盤領域に前記下部骨盤ストラップを通すステップと、
前記下部骨盤ストラップに前記下部骨盤ストラップの遠位端部を留めるステップと、を含む方法。
【発明の詳細な説明】
【背景技術】
【０００１】
従来の女性の下着、すなわちブラジャーは、一般に、支持的なカップを有する前面部と、着用者の胸郭を囲む、前面部から延在するウイングと、２つのウイングを連結するフックアイ留め具と、２つの肩ストラップと、を有する。従来のブラジャーは、Ｔシャツ、ブラウス、セーターなどの日常着の下で普段使用するのには実用的であるが、これらの従来のブラジャーは、すべての目的、たとえばフォーマルガウンなどの背中開きの衣服と共に着用することには適していない。
【０００２】
解決策の１つは、米国特許第６，３９７，３９１号に開示されるようなストラップレスで背中開きのブラジャーである。背中開きの衣服の下から露出するブラジャーのウイングは存在しないが、この構成では胸をほとんど支持せず、その結果、望ましくない見た目になる。この課題を解決しようとする他の試みがなされてきているが、それらはほとんど成功していない。
【発明の概要】
【課題を解決するための手段】
【０００３】
したがって、第１のカップおよび第２のカップを有する前面メイン部と、前記前面メイン部に連結される第１の端部および第２の端部をそれぞれが有する、第１の上部肩ストラップおよび第２の上部肩ストラップと、前記前面メイン部に連結される第１の端部および第２の端部をそれぞれが有する、第１の下部骨盤ストラップおよび第２の下部骨盤ストラップと、を備え、前記第１の下部骨盤ストラップおよび前記第２の下部骨盤ストラップが、着用者の骨盤領域を通して着用されるように設計される、背中開きサポートブラジャーが、全体として開示される。
【０００４】
さらに、前面メイン部を有する背中開きサポートブラジャーを着用者に留める方法であって、着用者の肩に、背中開きサポートブラジャーの前面メイン部から延在する上部肩ストラップをかけるステップと、着用者の骨盤領域に、背中開きサポートブラジャーの前面メイン部から延在する下部骨盤ストラップの一方の端部を通す（ｐｕｌｌ）ステップと、前面メイン部に、背中開きサポートブラジャーの前面メイン部から延在する前記下部骨盤ストラップの前記一方の端部を留めるステップと、を含む方法も開示される。
【０００５】
前面メイン部を有する背中開きサポートブラジャーを着用者に留める代替的な方法であって、着用者の肩に、背中開きサポートブラジャーの前面メイン部から延在する上部肩ストラップをかけるステップと、着用者の胴体領域で、背中開きサポートブラジャーの前面メイン部から延在する下部骨盤ストラップを十文字にするステップと、着用者の腰領域の周りに前記下部骨盤ストラップを通すステップと、着用者の骨盤領域に前記下部骨盤ストラップを通すステップと、前記下部骨盤ストラップに前記下部骨盤ストラップの遠位端部を留めるステップとを含む、方法も説明される。
【０００６】
本発明は、添付図面と併せて解釈すれば、「発明を実施するための形態」を参照することにより、より完全に理解することができる。
【図面の簡単な説明】
【０００７】
【図１】本発明の一態様による背中開きサポートブラジャーの正面斜視図である。
【図２】図１に見られる背中開きサポートブラジャーの正面図である。
【図３】図１に見られる背中開きサポートブラジャーの背面図である。
【図４】図１に見られる背中開きサポートブラジャーの左側面図である。
【図５】図１に見られる背中開きサポートブラジャーの右側面図である。
【図６】本発明の一態様による背中開きサポートブラジャーの一代替実施形態の正面図である。
【図７】本発明の一態様による背中開きサポートブラジャーの一代替実施形態の背面図である。
【発明を実施するための形態】
【０００８】
ここで各図に目を向けると、図１〜図５には、本発明の一態様による背中開きサポートブラジャー１０１の正面図、背面図、および側面図が示されている。背中開きサポートブラジャー１０１は、第１および第２のカップ１０３を有する前面メイン部１０２を有する。背中開きサポートブラジャー１０１は、第１および第２の上部肩ストラップ１０４を有し、これらは着用者の肩にかかるように設計される。背中開きサポートブラジャー１０１は、第１および第２の下部骨盤ストラップ１０５も有し、これらは、前面メイン部１０２から延在し、使用者の骨盤区域を通過して、前面メイン部１０２に再び付く。
【０００９】
さらなる支持および／または機能強化を実現するために、カップ１０３はライニングされてもよく、パッドが付けられてもよく、その他の方法で機能強化されてもよい。カップ１０３は、ＡＡＡ〜Ｎの範囲の種々のサイズであってもよい。当業者には、カップのこれらの変形形態が理解されるはずであり、こうした変形形態は、本発明の範囲を限定する働きをするものではない。カップ１０３に加えて、前面メイン部１０２も、カップ１０３の下にアンダーワイヤ１０６を有するチャネルを含んで、着用者の胸をさらに支持および持ち上げることができる。前中心ゴア１０７が、全体としてカップ１０３を連結する。
【００１０】
上部肩ストラップ１０４と下部骨盤ストラップ１０５はどちらも、フック点１０８で前面メイン部１０２に付く。フック点１０８は、概して、ブラジャーフック（すべての図で見えているわけではないが、図６において参照番号１１０で見て取ることができる）と、前面メイン部１０２の内側に見られる穴とを備える。複数の穴（図では見えていない）が、前面メイン部１０２の縁部の内側に、縁部に沿って提供されて、上部肩ストラップ１０４および下部骨盤ストラップ１０５の端部に見られるフックが、前面メイン部１０２の縁部に沿った種々の場所に付くことを可能にする。少なくとも３つであるが好ましくは４つ以上の穴が提供されて、ストラップ１０４および１０５が前面メイン部１０２に付くのを可能にすることになる。
【００１１】
フック点は、たとえば２つの部分を互いに縫い付けることにより、より永続的に固定されてもよいことを理解されたい。これは、ブラジャーを脱ぐために穴からフックを定期的に取付けおよび取外しすることが必要でない場合に用いられ得る。たとえば、肩ストラップ１０４は腕の上でずれることがあるので、肩ストラップ１０４のフック点１０８は、より永続的に固定されてもよい。
【００１２】
種々の身体のサイズおよびタイプにフィットするようにストラップの長さを調節するために、スライダ１０９も、上部肩ストラップ１０４および下部骨盤ストラップ１０５に沿って配置されてもよい。
【００１３】
当業者なら理解するように、前面メイン部１０２のカップ１０３によって作り出されるネックラインは、種々の形状でもよい。これらの例示的な図では、ネックラインは、カーブを付けられている、または成形されているように示されているが、前面メイン部１０２およびカップ１０３は、たとえばプランジスタイル、フルカップスタイル、デミカップスタイル、プッシュアップスタイル、バルコネットスタイル、またはシェルフスタイルであってもよい。これらのカップは、ブラジャー製作の技術分野で知られている種々の材料、サイズ、および色で作られてもよい。上部肩ストラップ１０４および下部骨盤ストラップ１０５は、種々の幅であってもよく、種々の材料から、また種々の色で作られてもよい。
【００１４】
図３に示すように、骨盤ストラップ１０５は、パンティラインが出るのを避けるために、ソングスタイルで、着用者の臀部の間に着用され得る。代わりに、骨盤ストラップ１０５は、図７に全体を見て取ることができるように、フルカバーパンティのラインに沿って着用されてもよい。
【００１５】
ここで図６に目を向けると、この図には、骨盤ストラップ１０５の代替的な使用法が示されている。この構成では、下部骨盤ストラップ１０５は、着用者の身体の前で十文字にされ、着用者の腰領域の周りに通され、次いで、背面から前面へと骨盤領域を通されて、フック１１０を使用して、使用者の身体の前面部で下部骨盤ストラップ１０５に再び付く。着用者に適応するように下部骨盤ストラップ１０５の長さを調節するために、スライダ１０９が使用されてもよい。
【００１６】
本発明の上記の説明により、当業者が本発明を製作および使用することが可能になるが、当業者には、本明細書に提供する実施形態、方法および例の、変形形態、組合せ、および均等物の存在が理解および認識されよう。したがって、本発明は、本明細書に開示する実施形態および例によってではなく、特許請求される本発明の範囲および趣旨に含まれる、あらゆる実施形態および方法によって限定されるべきである。
【図１】
2019525020.tif 000003
【図２】
2019525020.tif 000004
【図３】
2019525020.tif 000005
【図４】
2019525020.tif 000006
【図５】
2019525020.tif 000007
【図６】
2019525020.tif 000008
【図７】
2019525020.tif 000009
【国際調査報告】
2019525020.tif 000010